(57)【要約】【課題】スキミング装置の取り付けを防止することができる記録媒体読取装置を提供する。【解決手段】記録媒体を挿入する挿入口に、記録媒体を挟持するプレゼンタ及び、プレゼンタ表面に安全表示部を設け、記録媒体と共に、挿入口の外側から装置内部へプレゼンタが入り込む構造としたことで、カード挿入口の表面近傍にスキミング装置が取り付けられていない場合、利用者はその様子を視認できるため、安全性を容易に判断することができる。一方、スキミング装置が取り付けられた場合は、プレゼンタがスキミング装置に干渉する事により、カードを取り込む事ができなくなるため、カード情報の窃取を防止できる。さらに、カード挿入口の裏面近傍にスキミング装置が取り付けられた場合でも、カードがスキミング装置上を滑走しない構造とすることで、スキミング装置はカードの情報記録面をスキャンする事ができず、カード情報の窃取を防止する事ができる。【選択図】図４
2011145961.tif 000002
【特許請求の範囲】
【請求項１】
記録媒体が挿入される挿入口と、
前記記録媒体から情報を読み取る情報読取部と、
前記挿入口に挿入された前記記録媒体を挟持する記録媒体挟持部とを備えた記録媒体読取装置であって、
前記挿入口は、当該装置の端部に設けられ、
前記記録媒体挟持部は、前記挿入口に位置し、前記記録媒体を前記情報読取部へ搬送する際、当該記録媒体挟持部の少なくとも一部は、前記記録媒体とともに前記挿入口の外側から当該装置の内部へ入り込むこと、を特徴とする記録媒体読取装置。
【請求項２】
請求項１に記載の記録媒体読取装置であって、
前記記録媒体挟持部の少なくとも一部は、前記記録媒体を放出する際、前記記録媒体とともに当該装置の内部から前記挿入口の外側へ移動すること、を特徴とする記録媒体読取装置。
【請求項３】
請求項１に記載の記録媒体読取装置であって、
前記記録媒体挟持部の少なくとも一部には、少なくとも図形である安全表示部を備えること、を特徴とする記録媒体読取装置。
【請求項４】
請求項１ないし請求項３に記載の記録媒体読取装置であって、
前記記録媒体を搬送する場合、前記記録媒体挟持部は、前記記録媒体と接し、
前記記録媒体を滑らせることなく搬送すること、を特徴とする記録媒体読取装置。
【請求項５】
請求項４に記載の記録媒体読取装置であって、
前記記録媒体挟持部は、記録媒体挟持ローラと円弧状の板とで構成され、
前記記録媒体を搬送する場合、前記円弧状板は前記記録媒体とともに前記挿入口の外側から当該装置の内部に入り、
前記記録媒体を放出する場合、前記円弧状板は前記記録媒体とともに当該装置の内部から前記挿入口の外側へ移動すること、を特徴とする記録媒体読取装置。
【請求項６】
請求項４に記載の記録媒体読取装置であって、
前記記録媒体挟持部は、一対の円弧状の板で構成され、
前記記録媒体を搬送する場合、前記一対の円弧状板が前記記録媒体とともに前記挿入口の外側から当該装置の内部に入り、
前記記録媒体を放出する場合、前記一対の円弧状板が前記記録媒体とともに当該装置の内部から前記挿入口の外側へ移動すること、を特徴とする記録媒体読取装置。
【請求項７】
請求項４に記載の記録媒体読取装置であって、
前記記録媒体挟持部は、一対のベルトと前記ベルトを稼動させるローラで構成され、
前記記録媒体を搬送する場合、前記一対のベルトは前記記録媒体とともに前記挿入口の外部から当該装置の内部に入り、
前記記録媒体を放出する場合、前記一対のベルトが前記記録媒体とともに当該装置の内部から前記挿入口の外側へ移動すること、を特徴とする記録媒体読取装置。
【請求項８】
記録媒体が挿入される挿入口と、
前記挿入口に挿入された前記記録媒体を挟持する記録媒体挟持部とを備えた記録媒体読取装置であって、
前記挿入口は、当該装置の端部に位置し、
前記記録媒体挟持部は、前記挿入口に位置し、
当該記録媒体挟持部の一部には、少なくとも図形を含む第一の安全表示部を備え、
前記記録媒体を搬送する際に、前記記録媒体とともに前記挿入口から当該装置の内部へと入り込むこと、を特徴とする記録媒体読取装置。
【請求項９】
請求項８に記載の記録媒体読取装置であって、
前記記録媒体挟持の少なくとも一部は、前記挿入口の外側にあること、を特徴とした記録媒体読取装置。
【請求項１０】
請求項８あるいは請求項９に記載の記録媒体読取装置であって、
前記記録媒体挟持部の移動により、第２の安全表示部が出現すること、を特徴とする記録媒体読取装置。 
【請求項１１】
記録媒体が挿入される挿入口と、
前記記録媒体から情報を読み取る情報読取部と、
前記挿入口に挿入された前記記録媒体を挟持する記録媒体挟持部とを備えた記録媒体読取装置であって、
前記挿入口は、当該装置の端部に設けられ、
前記記録媒体挟持部は、一対の円弧状の板で構成され、前記挿入口に位置し、
当該記録媒体の少なくとも一部に安全表示部を備え、
前記記録媒体を前記情報読取部へと搬送する際、前記記録媒体と接し、前記記録媒体とともに前記挿入口から当該装置の内部へと移動し、
前記記録媒体を前記情報読取部から搬送する際、前記記録媒体と接し、前記記録媒体とともに当該装置の内部から前記挿入口へと移動すること、を特徴とする記録媒体読取装置。
【請求項１２】
取引内容の表示または利用者の操作入力を受け付ける表示入力部と、
紙幣の入出金を行う紙幣部と、
記録媒体を挿入または排出を行う挿入口と、
前記挿入口に挿入された前記記録媒体を取り扱う記録媒体取扱部とを備えた自動取引装置であって、
前記記録媒体取扱部は、前記記録媒体を挟持し搬送する記録媒体挟持部を備え、
少なくとも前記記録媒体挟持部の一部は、前記利用者から見える位置に位置し、 
前記見える位置にある前記記録媒体挟持部の一部は、安全表示部を備え、 
前記記録媒体を搬送する際に、前記記録媒体と接し、ともに前記見える位置から前記記録媒体取扱部の内部に移動すること、を特徴とする自動取引装置。
【請求項１３】
請求項１２に記載の自動取引装置であって、
前記記録媒体を搬送する際の前記記録媒体挟持部の動作を、前記表示入力部に表示すること、を特徴とする自動取引装置。
【発明の詳細な説明】
【技術分野】
【０００１】
本発明は、情報の記録された記録媒体の挿入を受け付け、挿入された記録媒体から情報を読み取る記録媒体読取装置およびそれを用いた自動取引装置に関するものであり、特に、記録媒体に記録された記録情報の窃取防止に関する。
【背景技術】
【０００２】
現金自動預け払い機（ＡＴＭ）や現金支払機（ＣＤ）など自動取引装置の利用拡大に伴い、偽造カードによる不正取引が大きな社会問題となっている。
【０００３】
特に、自動取引装置のカード挿入口の形状に似せた、不正にカード情報を読み取る装置（以下、この装置をスキミング装置と呼ぶ）をカード挿入口に取り付け、利用者が取引時にカード挿入口へカードを挿入することで、利用者に気付かれることなくカード情報を窃取し、偽造カードを作成する手口が数多く報告されている。
【０００４】
このような、スキミング装置によるカード情報の窃取を防止する手段として、カード挿入口前面にシャッタを設け、スキミング装置が取り付けられた場合には、シャッタとスキミング装置が干渉する構造を利用して、スキミング装置の取り付けを防止する方法が提案されている（特許文献１参照）。
【先行技術文献】
【特許文献】
【０００５】
【特許文献１】特開２００８−１９１９１６号公報
【発明の概要】
【発明が解決しようとする課題】
【０００６】
スキミング装置の代表的な例は、スキミング装置内に磁気ヘッドを組み込んで、磁気カードの磁気ストライプに記録された情報を読み取るというものである。他にも、スキミング装置内にラインスキャナを組み込んで、カードに印刷あるいは打刻された図柄や文字情報を読み取る事例が存在する。
【０００７】
このようなスキミング装置は、ＡＴＭのカード挿入口付近に、利用者が認知し難い状態で取り付けられ、利用者によってカードが挿入されるのを待つ。ＡＴＭにカードが挿入される時、スキミング装置内部の磁気ヘッドやラインスキャナ上を、カードが滑走しながら通過する構造を利用して、スキミング装置は情報を不正に窃取する。
【０００８】
近年、スキミング装置は小型化しており、カード搬送方向に１０数ミリの場所があれば取り付けられてしまうものもある。また、ＡＴＭ本体とカード部との隙間にスキミング装置を取り付けられた事例や、ＡＴＭ本体の形成壁をくりぬいて、そこへスキミング装置を埋め込むといった事例など、ＡＴＭ内部を加工して装置内部にスキミング装置を取り付ける方法も見られるようになった。
【０００９】
特許文献１に記載された記録媒体受付装置では、シャッタの内側や挿入孔の裏側など、装置内部にスキミング装置が取り付けられた場合には、記録媒体受付装置がスキミング装置を検出できない場合もあり得る。また、利用者がカードを挿入しようとする前にシャッタを開ける構成としているため、利用者の存在を正確に検出するための機構も必要となる。
【００１０】
本発明は、こうしたスキミング装置の取り付け防止に関わる上記の問題点を解決し、情報の窃取防止の実効性を高めることをその目的とする。
【課題を解決するための手段】
【００１１】
上記課題を達成するために、本発明は、記録媒体読取装置において、
記録媒体が挿入される挿入口と、前記記録媒体から情報を読み取る情報読取部と、前記挿入口に挿入された該記録媒体を挟持する記録媒体挟持部とを備え、前記挿入口は、当該装置の端部に設けられ、前記記録媒体挟持部は、前記挿入口に配置され、記録媒体を前記情報読取部に搬送する際、当該記録媒体挟持部の少なくとも一部は、前記記録媒体とともに、前記挿入口の外側から当該装置の内部へ入り込む構造を備える。
【発明の効果】
【００１２】
本発明によれば、スキミング装置の取り付けを防止し、情報の窃取防止の実効性を高めることができる。
【図面の簡単な説明】
【００１３】
【図１】第１の実施形態を備えた自動取引装置１の斜視図。
【図２】第１の実施形態を備えた自動取引装置１の内部構成を示すブロック図。
【図３】第１の実施形態を備えた自動取引装置１のカード挿入口３０周辺構成を説明する斜視図。
【図４】記録媒体挟持部１０５の構成説明図。
【図５】カード挿入口３０にカードが挿入された時の状態を示す説明図。
【図６】カード搬送中の状態を示す説明図。
【図７】カードを正常に取り込んだ時の状態を示す説明図。
【図８】取引時の自動取引装置１の動作を示すフローチャート。
【図９】カード読み取り時のカード部の動作を示すフローチャート。
【図１０】カード返却時のカード部の動作を示すフローチャート。
【図１１】従来の自動取引装置にスキミング装置が取り付けられた状態の一例を示す説明図。
【図１２】第１の実施形態において、図１１と同様にスキミング装置が取り付けられた状態を示す説明図。
【図１３】従来の自動取引装置にスキミング装置が取り付けられた状態の一例を示す説明図。
【図１４】第１の実施形態において、図１３と同様にスキミング装置が取り付けられた状態を示す説明図。
【図１５】従来の自動取引装置にスキミング装置が取り付けられた状態の一例を示す説明図。
【図１６】第１の実施形態において、図１５と同様にスキミング装置が取り付けられた状態を示す説明図。
【図１７】第２の実施形態として、カード表面の情報搾取の防止が可能となるような記録媒体挟持部の構造を示す説明図。
【図１８】第３の実施形態として、カードの表裏共に情報搾取の防止が可能となるような記録媒体挟持部構造を示す説明図。
【図１９】第４の実施形態として、プレゼンタの形態をベルトによる構造とした場合の説明図。
【図２０】図１８の状態からカードの搬送を始めた後、カードを正常に取り込んだ時の状態を示す説明図。
【図２１】第５の実施形態として、カード挿入時に自動取引装置１の表示入力部２０に表示される画面を示す説明図。
【発明を実施するための形態】
【実施例１】
【００１４】
以下、図１〜図１０を用いて、本発明の一実形態を説明する。本実施形態は、金融機関などに設置されるＡＴＭのような自動取引装置に関するものである。
【００１５】
図１は、本実施形態に係わる自動取引装置１の外観を概略的に示す概略斜視図である。図２は、自動取引装置１の内部構成を概略的に示すブロック図である。図３および図４は、本実施形態の自動取引装置１における要部構成であるカード挿入口周辺の構成を概略的に示す説明図であり、図３はカード挿入口３０周辺の斜視図、図４（Ａ）は正面図、図４（Ｂ）は側面図である。
【００１６】
自動取引装置１は、利用者の操作によって現金の入出金等の取引を行う自動取引装置であり、操作案内を表示すると同時に利用者の入力を検出する表示入力部２０と、現金の入出金を行う紙幣部４０と、利用者の口座番号などの情報が記録された記録媒体であるカードＣの挿入を受け付けるカード挿入口３０と、カード挿入口３０から挿入されたカードＣを取り扱うカード部１００と、これらの部位を制御する制御部１０を有する。
【００１７】
カード部１００は、カードＣの裏面に付された磁気ストライプの情報を読み取る情報読み取り部である磁気ヘッド１０６と、挿入されたカードを磁気ヘッド１０６まで搬送するカード挟持搬送部１０５（以下、プレゼンタ１０５とする）と、磁気ヘッド１０６が磁気ストライプを読み取るためにカードＣを搬送する搬送ローラ１０３と、プレゼンタ１０５および搬送ローラ１０３を駆動させる搬送モータ１０４と、プレゼンタ１０５の位置を検出するセンサ１０２と、搬送モータ１０４やセンサ１０２と磁気ヘッド１０６を制御し上位の制御部１０と通信するカード制御部１０１から構成されている。
【００１８】
プレゼンタ１０５は、カードが搬送される搬送路の上部に位置する上部プレゼンタ１０５ａと、搬送路より下部に位置する下部プレゼンタ１０５ｂの一対によって構成され、上部プレゼンタ１０５ａと下部プレゼンタ１０５ｂは、挿入されたカードＣを上下から挟持できるように、カード搬送経路を挟んで相対する位置関係に配置される。
【００１９】
下部プレゼンタ１０５ｂは回転軸に接続され、回転軸に接続した搬送モータ１０４により、ガイド１０７に沿って移動する。また、上部プレゼンタ１０５ａもモータ１０４に接続され、カードＣを搬送する場合には搬送方向へ回転する。
【００２０】
さらに、下部プレゼンタ１０５ｂは、カード挿入口３０から装置外部へ迫り出した状態にあり、その迫り出した部分の表面には利用者から見える状態で安全表示Ｄ１が表示され、カードＣの挿入に伴って装置内部へ移動する構成としている。
【００２１】
カードＣの挿入はセンサ１０２で検知する。センサ１０２は、図４（ｂ）のように下部プレゼンタ１０５ｂに接続する回転軸を監視し、プレゼンタ１０５ｂの動作からカードＣの挿入を検知する。これ以外でも、下部プレゼンタ１０５ｂの回転軸に取り付け、カード挿入を検知するもの、プレゼンタ１０５の近傍にあってプレゼンタの動きから光学的にカードＣの挿入を検知するもの、下部プレゼンタ１０５ｂがカードＣと接触したことを感知するものなどであってもよい。
【００２２】
次に、カードＣが挿入された場合におけるカード部１００の動作について、図５〜図７の説明図を用いて説明する。それぞれの図において、（Ａ）は正面図、（Ｂ）は側面図である。また図５〜図７は、スキミング装置が取り付けられていない通常の動作を示し、取り扱うカードは裏面に磁気ストライプを備えている。
【００２３】
カードＣが挿入される前の状態では、下部プレゼンタ１０５ｂは、安全表示Ｄ１を利用者へ表示した状態の位置（以下、この位置を「受付位置」と呼ぶ。）にある。カードＣがカード挿入口３０から挿入されると、プレゼンタ１０５はカードＣを挟持し、カードＣの搬送を開始する（図５）。
【００２４】
カードＣの搬送が開始されると、センサ１０２はプレゼンタ１０５にカードＣが挿入されたことを検知する。センサ１０２の出力を検知したカード制御部１０１が搬送モータ１０４を制御することにより、上部プレゼンタ１０５ａは回転し、下部プレゼンタ１０５ｂはガイド１０７に沿ってカード挿入口３０から装置内部へ入り込む。カードＣは上部プレゼンタ１０５ａと下部プレゼンタ１０５ｂによって挟持された状態を保ち、プレゼンタ１０５の摩擦力によって装置内部へ取り込まれる。この時、下部プレゼンタ１０５ｂの表面に表示された安全表示Ｄ１は、カードＣと共にカード挿入口３０から装置内部へ入り込む。利用者は、この様子を視認する事によって、挿入口近傍の装置外部にスキミング装置が取り付けられていないことを判断できる。
【００２５】
また、下部プレゼンタ１０５ｂが装置内部へ入り込む状況の視認性を高めるために、下部プレゼンタ１０５ｂの奥に位置するガイド１０７の表面に、安全表示Ｄ１とは別の安全表示Ｄ２を表示する（図６）。
【００２６】
これら安全表示は、図形や文字などにより示してもよいし、視認できる面の色を変えることによって表現されるものでもよい。また、ＬＥＤやランプ等の発光によって安全表示を表現する構成であってもよい。なお、下部プレゼンタが外部に迫り出した状態でなくとも同様の効果がある。
【００２７】
下部プレゼンタ１０５ｂが完全に装置内部へ入り込んだ後は、安全表示Ｄ２が利用者に向けて表示される。さらにカードＣが装置内部に搬送されてプレゼンタ１０５の挟持から解放された後は、カードＣは搬送ローラ１０３によって搬送され、磁気ヘッドによって磁気ストライプの読み取りが完了する（図７）。
【００２８】
以上、図５〜図７で示したプレゼンタ１０５の構成と動作により、プレゼンタ１０５が移動する経路上には、スキミング装置の取り付けを防止することができる。また、プレゼンタ１０５がカードＣを挟持して搬送している間、安全表示Ｄ１の表示された下部プレゼンタ１０５ｂの表面は、カードＣの磁気ストライプと接し、摩擦力によってカードを装置内部へ送り出す構造としている。従って、プレゼンタ表面に小型のスキミング装置を取り付けたとしても、カードＣがスキミング装置上を滑走することが無いため、磁気ストライプの情報が窃取される事を防止できる。
【００２９】
次に、利用者が自動取引装置１を利用し、取引を行う場合の自動取引装置１動作を、図８〜図１０を用いて説明する。図８は、自動取引装置１での取引処理フローの一例である。取引を開始すると、顧客のカード挿入に応じてカードの読み取り処理（ステップＳ１）が始まる。カードの読み取りが正常に完了すると、利用者に取引を選択させる（ステップＳ２）。取引が正常に完了すると、カード返却処理（ステップＳ３）が行われる。全体の処理フローはこのようになる。図９は、図８のフローのうち、カード読み取り処理Ｓ１の詳細を示す動作フローの一例である。図１０は、図８のフローのうち、カード返却処理Ｓ３の詳細を示す動作フローの一例である。
【００３０】
通常、利用者が取引を開始する前の状態では、自動取引装置１は表示入力部２０に、広告等の画面を表示している。この時、下部プレゼンタ１０５ｂは受付位置にあり、センサ１０２が下部プレゼンタ１０５ｂの接続している回転軸を監視している（ステップＳ１１）。
【００３１】
利用者がカード挿入口３０にカードＣを挿入すると、カードＣはプレゼンタ１０５に挟持され、カードＣとプレゼンタ１０５の摩擦力によって下部プレゼンタ１０５ｂが移動し、下部プレゼンタ１０５ｂの移動によってセンサ１０２はカードＣが挿入された事を検出する（ステップＳ１２）。
【００３２】
センサ１０２がカードＣの挿入を検出すると、カードＣの搬送を開始する（ステップＳ１３）。このとき、搬送モータ１０４が駆動し、下部プレゼンタ１０５ｂはカードとともに装置内部へと移動する（ステップＳ１４）。プレゼンタ１０５によって、カードＣは磁気ヘッド１０６まで搬送される。
【００３３】
カードＣが正常に磁気ヘッド１０６へ到達した場合（ステップＳ１５）、プレゼンタ１０５と搬送ローラ１０３の駆動によってカードＣの磁気ストライプ面が磁気ヘッド１０６上を滑走し、磁気ヘッド１０６は磁気ストライプ上に記録された情報を読み取る（ステップＳ１６）。
【００３４】
ステップＳ１３のカード搬送で異常があった場合、プレゼンタ１０５が接続している回転軸を監視しているセンサ１０２はプレゼンタ１０５の搬送状況の異常を検出する。この場合、カード部１００は、エラー処理を行う（ステップＳ１７）。
【００３５】
自動取引装置１は、カード読み取り処理が正常に終了した場合、表示入力部２０に取引選択画面を表示し、利用者が選択した取引内容を実行する（ステップＳ２）。取引処理が正常に終了すると、カード返却処理ステップ３に進む。
【００３６】
カード返却処理では、まず搬送ローラ１０３によって、カードＣが挿入口３０の方向へ搬送される（ステップＳ３１）。カードＣの一端が下部プレゼンタ１０５ｂに接すると、カードＣと下部プレゼンタ１０５ｂの摩擦力によって、下部プレゼンタ１０５ｂが挿入口３０の方向へ移動を始める。さらにカードＣが搬送され、カードＣの一端が上部プレゼンタ１０５ａに接すると、カードＣは上部プレゼンタ１０５ａと下部プレゼンタ１０５ｂによって挟持される。この後、搬送モータ１０４によりプレゼンタ１０５は、利用者がカードＣを抜き取る事ができる挿入口３０まで、カードＣを搬送する（ステップＳ３２）。この時、下部プレゼンタ１０５ｂは、装置内部から挿入口３０へと移動し、カードＣと共に挿入口３０から出現する。利用者がカードＣを抜き取る時、カードＣとプレゼンタ１０５の摩擦力によって、下部プレゼンタ１０５ｂは受付位置へ戻り、安全表示Ｄ１が再び利用者に向けて表示される状態に戻る（ステップＳ３３）。尚、ステップＳ３２のカード返却で異常があった場合、プレゼンタ１０５が接続している回転軸を監視しているセンサ１０２がプレゼンタ１０５の搬送状況の異常を検出し、カード部１００は、エラー処理を行う（ステップＳ３４）。カードの返却が正常に完了した場合は、一連の取引処理が完了し、ステップＳ１に戻る。
【００３７】
ここで、裏面に磁気ストライプを備えたカードによる取引を想定した自動取引装置に対し、スキミング装置が取り付けられた場合について、図１１〜図１６を用いて説明する。スキミング装置ＳがカードＣの情報を窃取するためには、カードＣがスキミング装置Ｓを滑走する必要があるため、スキミング装置ＳはカードＣの挿入経路に接するように取り付けられる。
【００３８】
図１１と図１２は、挿入口３０の前方領域、すなわち装置外部である前面パネルにスキミング装置Ｓが取り付けられた状況の例である。図１３と図１４は、挿入口３０に直接スキミング装置Ｓが取り付けられた状況の例である。図１５と図１６は、前面パネル２の裏側、すなわち装置内部にスキミング装置Ｓが取り付けられた状況の例である。
【００３９】
装置外部にスキミング装置Ｓが取り付けられた場合において、図１１に示した従来の自動取引装置では、自動取引装置の前面パネルを視覚的に模倣したスキミング装置Ｓが取り付けられると、利用者はスキミング装置Ｓの存在を認識することが困難である。一方、図１２に示した本実施形態の自動取引装置１では、下部プレゼンタ１０５ｂを視覚的に模倣したスキミング装置Ｓが取り付けられた場合でも、利用者は、カードＣの挿入過程において、安全表示Ｄ１がカード挿入口３０から装置内部へ入り込む様子（図６）を視認することができなくなる。よって、安全性を容易に判断することができる。
【００４０】
挿入口３０に直接スキミング装置Ｓが取り付けられた場合において、図１３に示した従来の自動取引装置では、自動取引装置１の前面パネルおよび挿入口３０を視覚的に模倣したスキミング装置Ｓが取り付けられると、利用者はスキミング装置Ｓの存在を認識することが困難である。一方、図１４に示した本実施形態の自動取引装置１では、下部プレゼンタ１０５ｂが挿入口３０の一部を成し、下部プレゼンタ１０５ｂは装置内部へ入り込む構成としているため、下部プレゼンタ１０５ｂへ直接スキミング装置Ｓを取り付けられた場合、下部プレゼンタ１０５ｂはスキミング装置Ｓと干渉する。したがって、下部プレゼンタ１０５ｂはカードＣを搬送する事ができなくなるため、カード情報の窃取を防止できる。
【００４１】
装置内部にスキミング装置Ｓが取り付けられた場合、図１５に示した従来の自動取引装置では、スキミング装置Ｓの検出は困難であり、利用者もスキミング装置Ｓの存在を認識することが困難である。一方、図１６に示した本実施形態の自動取引装置１では、下部プレゼンタ１０５ｂの構造によりスキミング装置Ｓは搬送路から離れるため、挿入過程においてカードＣはスキミング装置Ｓを滑走する事がない。したがって、スキミング装置はカードの情報記録面をスキャンする事ができず、カード情報の窃取を防止する事ができる。
【００４２】
以上のように、本実施形態の自動取引装置１では、装置外部、挿入口、装置内部のいずれの部位にスキミング装置Ｓを取り付けられた場合でも、利用者が気付かないまま、カードＣの記録情報が窃取されることを防止する事ができる。
【実施例２】
【００４３】
第１の実施形態では、裏面に磁気ストライプを備えたカードを対象としていたが、第２の実施形態では表面に磁気ストライプを備えたカードを対象にした構成について説明をする。
【００４４】
本実施形態では、図１７に示すように上部プレゼンタ１０５ａをカードとともに装置内外を出入りする円弧状の板とし、下部プレゼンタ１０５ｂをローラ形状のものとする。また、磁気ストライプがカードＣの表面にあるため、磁気ヘッド１０６は上部プレゼンタ１０５ａ側にある構成とする。また、本実施形態も図４（ｂ）と同様に、搬送モータ１０４とセンサ１０２を備える。
【００４５】
本実施形態は、第１の実施形態と同様にスキミング装置の取り付けを防止し、カード情報の窃取を防止することができる。
【実施例３】
【００４６】
第３の実施形態として、図１８に示すように上部プレゼンタ１０５ａと下部プレゼンタ１０５ｂの両方を、カードＣの移動に伴って装置内外を移動する円弧状の板として構成とする。このような構成とした場合、カードＣの表面または裏面のみに磁気ストライプを付されたカードだけではなく、その両面に磁気ストライプを付されたカードにも対応することが出来る。
【００４７】
さらに、このような構成とすることで、表面または裏面に記録された情報の搾取を、同時に防止することが可能となる。
【実施例４】
【００４８】
第１の実施形態から第３の実施形態は、プレゼンタ１０５が移動する構成で記載したが、第４の実施形態として、図１９に示すようにプレゼンタ１０５をベルトにした構成について説明する。
【００４９】
この場合、利用者は、ベルト表面に表示された安全表示Ｄ１が、ベルトが回転する事によってカードＣとともにカード挿入口３０から装置内部へ移動し、新たに出現するベルトの表面に表示された安全表示Ｄ２（図２０）を視認する事によって、挿入口または装置外部にスキミング装置が取り付けられていないことを判断する事が可能となる。
【００５０】
また、プレゼンタ１０５をベルトで構成したことにより、第１の実施形態から第３の実施形態で使用した円弧状の板よりも安定した搬送が可能となる。さらに、ベルトを使用することでより低コストで記録媒体挟持部が構成できる。
【実施例５】
【００５１】
第５の実施形態では、図２１に示すようにカードＣを挿入する際に、表示入力部２０に挿入口周辺の様子や、プレゼンタ１０５の動作などを表示する構成について説明をする。
【００５２】
このような構成にすることで、利用者は挿入時に表示入力部２０で表示されている内容と実際の挿入口周辺を比べながらカードＣを挿入することができる。したがって、スキミング装置が取り付けられている場合は、利用者がスキミング装置の存在に気付くため、カード情報の窃取を防ぐことができる。
【００５３】
各実施形態について説明したが、上記実施形態に示したいずれかのプレゼンタ形状を組み合わせて構成する実施形態も考えられる。
【００５４】
また、プレゼンタ１０５の材質は摩擦力の高いものがよいが、プレゼンタ１０５全体にある必要はなく、一部に摩擦力の高い素材を用いる構成であってもよい。さらに、上部プレゼンタ１０５ａと下部プレゼンタ１０５ｂとで違った摩擦力を持つ素材を使用してもよい。
【００５５】
なお、各実施形態ではプレゼンタ１０５に搬送モータ１０４を接続した構成としているが、搬送モータ１０４がなく、手動でプレゼンタ１０５が稼動する構成であってもよい。
【００５６】
上述の構成により、本発明はスキミング装置の取り付けを防止し、情報の窃取防止の実効性を高めた記録媒体読取装置を提供することが可能となる。
【符号の説明】
【００５７】
１・・・自動取引装置
２・・・自動取引装置の前面パネル
２ａ・・・前面パネルの垂直部
２ｂ・・・前面パネルの水平部
１０・・・制御部
２０・・・表示入力部
３０・・・カード挿入口
４０・・・紙幣部
１００・・・カード部
１０１・・・カード制御部
１０２・・・カード検知センサ
１０３・・・カード搬送ローラ
１０４・・・カード搬送モータ
１０５・・・プレゼンタ
１０５ａ・・・上部プレゼンタ
１０５ｂ・・・下部プレゼンタ
１０６・・・磁気ヘッド
１０７・・・ガイド
Ｃ・・・カード
Ｄ・・・安全表示
Ｄ１・・・カード挿入待ち時の安全表示
Ｄ２・・・カード取込み後の安全表示
Ｓ・・・スキミング装置
【図１】
2011145961.tif 000003
【図２】
2011145961.tif 000004
【図３】
2011145961.tif 000005
【図４】
2011145961.tif 000006
【図５】
2011145961.tif 000007
【図６】
2011145961.tif 000008
【図７】
2011145961.tif 000009
【図８】
2011145961.tif 000010
【図９】
2011145961.tif 000011
【図１０】
2011145961.tif 000012
【図１１】
2011145961.tif 000013
【図１２】
2011145961.tif 000014
【図１３】
2011145961.tif 000015
【図１４】
2011145961.tif 000016
【図１５】
2011145961.tif 000017
【図１６】
2011145961.tif 000018
【図１７】
2011145961.tif 000019
【図１８】
2011145961.tif 000020
【図１９】
2011145961.tif 000021
【図２０】
2011145961.tif 000022
【図２１】
2011145961.tif 000023